(57)【要約】【課題】  本考案は、化粧品塗布具を手の指に装着した状態でも、該化粧品塗布具に違和感を感じることなく、化粧品塗布具に付けたファンデーション等を顔の頬等に薄く延ばして塗ることができる化粧品塗布具の提供を目的とする。【解決手段】  本考案に係る化粧品塗布具は、伸縮性を有し両端に粘着部を設けたシート状の被覆部材と、前記被覆部材の一面を剥離可能に被覆する剥離部材と、前記被覆部材の他面を剥離可能に被覆する形状保持部材とを有することを特徴とする。【選択図】  図９
0003155378.tif 000002
【実用新案登録請求の範囲】
【請求項１】
伸縮性を有し両端に粘着部を設けたシート状の被覆部材と、
前記被覆部材の一面を剥離可能に被覆する剥離部材と、
前記被覆部材の他面を剥離可能に被覆する形状保持部材とを有すること
を特徴とする化粧品塗布具。
【請求項２】
前記被覆部材は、両端に設けられた前記粘着部に対して略垂直になるように凹形状から成る複数の溝が形成されていること
を特徴とする請求項１に記載の化粧品塗布具。
【請求項３】
前記被覆部材は、両端に設けられた前記粘着部に対して略垂直になるように凹形状から成る複数の溝が部分的に形成されていること
を特徴とする請求項１に記載の化粧品塗布具。
【請求項４】
前記被覆部材は、両端に設けられた前記粘着部に対して略垂直になるように凸形状から成る複数の筋が形成されていること
を特徴とする請求項１に記載の化粧品塗布具。
【請求項５】
前記被覆部材は、両端に設けられた前記粘着部に対して略垂直になるように凸形状から成る複数の筋が部分的に形成されていること
を特徴とする請求項１に記載の化粧品塗布具。
【請求項６】
前記形状保持部材は、指で掴むための掴み部を備えていること
を特徴とする請求項１に記載の化粧品塗布具。
【請求項７】
前記被覆部材は、指で掴むための掴み部を備えていること
を特徴とする請求項１に記載の化粧品塗布具。
【考案の詳細な説明】
【技術分野】
【０００１】
本考案は、例えばファンデーションの様な化粧品を顔の頬等に薄く延ばして塗る際に手の指を保護する化粧品塗布具に関する。
【背景技術】
【０００２】
従来、特に化粧製品用の製品塗布具であって、指に粘着させて処理すべき面における製品の塗布を簡単にする粘着性の塗布具に関し、指を汚したり塗布面を損傷することなく把持できる塗布具用品の構成がある（例えば、特許文献１参照。）。
【０００３】
また、ファンデーションの塗布用として使用する簡易型ファンデーション塗布用パフに関し、スポンジ等の樹脂、綿、布、紙等からなるパフ本体と、パフ本体を支持する薄板状の支持部材とを有し、パフ本体を支持部材上に、塗布、印刷または貼合わせて構成される簡易型ファンデーション塗布用パフの構成がある（例えば、特許文献２参照。）。
【先行技術文献】
【特許文献】
【０００４】
【特許文献１】特開２００５−２６１９４７号公報
【特許文献２】特開２００２−３４６４９号公報
【考案の概要】
【考案が解決しようとする課題】
【０００５】
しかしながら、前述の構成では、例えばパフの様な化粧用具に付けたファンデーションを顔の頬等に薄く延ばして塗る際に、指先等に付けてから顔の頬等に塗る場合とは異なるため違和感を感じる問題点が有った。
【０００６】
そこで、本考案は前述の技術的な課題に鑑み、化粧品塗布具を手の指に装着した状態でも、該化粧品塗布具に違和感を感じることなく、化粧品塗布具に付けたファンデーション等を顔の頬等に薄く延ばして塗ることができる化粧品塗布具の提供を目的とする。
【課題を解決するための手段】
【０００７】
前述の課題を解決すべく、本考案に係る化粧品塗布具は、伸縮性を有し両端に粘着部を設けたシート状の被覆部材と、前記被覆部材の一面を剥離可能に被覆する剥離部材と、前記被覆部材の他面を剥離可能に被覆する形状保持部材とを有することを特徴とする。
【考案の効果】
【０００８】
本考案に係る化粧品塗布具によれば、化粧品塗布具を手の指に装着した状態でも、該化粧品塗布具に違和感を感じることなく、化粧品塗布具に付けたファンデーション等を顔の頬等に薄く延ばして塗ることができる。
【図面の簡単な説明】
【０００９】
【図１】本考案の第１の実施形態に係る化粧品塗布具の使用状態を示す模式図であり、（ａ）は手のいずれの指にも何も装着していない状態を示す模式図であり、（ｂ）は手の各指に化粧品塗布具の指被覆フィルムをそれぞれ装着して使用する状態を示す模式図である。
【図２】本考案の第１の実施形態に係る化粧品塗布具を示す構成図であり、（ａ）は化粧品塗布具を裏面から見た構成図であり、（ｂ）は化粧品塗布具を側面から見た構成図であり、（ｃ）は化粧品塗布具を表面から見た構成図である。
【図３】本考案の第１の実施形態に係る化粧品塗布具を示す構成図であり、（ａ）は化粧品塗布具から上部剥離フィルムを剥離した状態で裏面から見た構成図であり、（ｂ）は化粧品塗布具を側面から見た構成図であり、（ｃ）は化粧品塗布具を表面から見た構成図である。
【図４】本考案の第１の実施形態に係る化粧品塗布具を示す構成図であり、（ａ）は化粧品塗布具から更に下部剥離フィルムを剥離した状態で裏面から見た構成図であり、（ｂ）は化粧品塗布具を側面から見た構成図であり、（ｃ）は化粧品塗布具を表面から見た構成図である。
【図５】本考案の第１の実施形態に係る化粧品塗布具を示す構成図であり、（ａ）は化粧品塗布具から更に形状保持フィルムを剥離した状態で裏面から見た構成図であり、（ｂ）は化粧品塗布具を側面から見た構成図であり、（ｃ）は化粧品塗布具を表面から見た構成図である。
【図６】本考案の第１の実施形態に係る化粧品塗布具を構成する指被覆フィルムを示す構成図であり、（ａ）は伸縮していない状態の指被覆フィルムを示す構成図であり、（ｂ）は一部が縮んでいる状態の指被覆フィルムを示す構成図である。
【図７】本考案の第１の実施形態に係る化粧品塗布具を構成する伸縮方向に所定の指向性を有した指被覆フィルムを示す構成図であり、（ａ）は伸縮していない状態の指被覆フィルムを示す構成図であり、（ｂ）は一部が縮んでいる状態の指被覆フィルムを示す構成図である。
【図８】本考案の第１の実施形態に係る化粧品塗布具を構成する伸縮方向に所定の指向性を有した指被覆フィルムを示す構成図であり、（ａ）は伸縮していない状態の指被覆フィルムを示す構成図であり、（ｂ）は一部が縮んでいる状態の指被覆フィルムを示す構成図である。
【図９】本考案の第１の実施形態に係る化粧品塗布具の装着方法を示す模式図であり、（ａ）乃至（ｆ）はそれぞれ化粧品塗布具を指に装着する状態を順に示す模式図である。
【図１０】本考案の第２の実施形態に係る化粧品塗布具を示す構成図であり、（ａ）は化粧品塗布具を裏面から見た構成図であり、（ｂ）は化粧品塗布具を側面から見た構成図であり、（ｃ）は化粧品塗布具を表面から見た構成図である。
【図１１】本考案の第２の実施形態に係る化粧品塗布具を示す構成図であり、（ａ）は化粧品塗布具から上部剥離フィルム及び下部剥離フィルムを剥離した状態で裏面から見た構成図であり、（ｂ）は化粧品塗布具を側面から見た構成図であり、（ｃ）は化粧品塗布具を表面から見た構成図である。
【考案を実施するための形態】
【００１０】
以下、本考案の化粧品塗布具に係る好適な実施形態について、図面を参照しながら説明する。なお、本考案の化粧品塗布具は、以下の記述に限定されるものではなく、本考案の要旨を逸脱しない範囲において、適宜変更可能である。
【００１１】
［第１の実施形態］
最初に本考案に係る化粧品塗布具１０の使用状態について図１を参照しながら説明し、次に化粧品塗布具１０の構成について図２乃至図８を参照しながら説明し、最後に化粧品塗布具１０を手の指に装着する方法について図９を参照しながら説明する。
【００１２】
最初に、本考案に係る化粧品塗布具１０の使用状態について、図１を参照しながら具体的に説明する。
【００１３】
図１に示すように、化粧品塗布具１０は、例えばファンデーションの様な化粧品を手Ｈの指Ｆに塗布してから、ファンデーションを顔の頬等に薄く延ばして塗る際に、手Ｈの指Ｆを保護する保護シートである。ここで、図１（ａ）は、手Ｈのいずれの指Ｆにも何も装着していない状態を模式図で示したものである。一方、図１（ｂ）は、手Ｈの各指Ｆに化粧品塗布具１０の指被覆フィルム３をそれぞれ装着して使用する状態を模式図で示したものである。図１（ｂ）に示すように、本考案に係る化粧品塗布具１０の指被覆フィルム３は、それぞれの指Ｆの形状に沿って伸縮して密着した状態で装着されている。したがって、化粧品塗布具１０の指被覆フィルム３を手Ｈの各指Ｆにそれぞれ装着した状態でも、指被覆フィルム３の存在に違和感を感じることなく、ファンデーション等を顔の頬等に薄く延ばして塗ることができる。
【００１４】
なお、もし本考案に係る化粧品塗布具１０の指被覆フィルム３が、それぞれの指Ｆの形状に沿って伸縮して密着しなければ、指被覆フィルム３の表面に凹凸や皺が生じることになり、該凹凸や皺が顔の頬等に触れることで違和感を感じる。特に、もし本考案に係る化粧品塗布具１０の指被覆フィルム３が、それぞれの指Ｆの形状に沿って伸縮して密着しなければ、径が相対的に小さい指先において、該指先と指被覆フィルム３との間に隙間が生じることから、指先の部分に装着された指被覆フィルム３の先端が肌に触れ違和感を感じる。
【００１５】
次に、本考案に係る化粧品塗布具１０の構成について、図２乃至図８を参照しながら具体的に説明する。
【００１６】
図２等に示すように、化粧品塗布具１０は、指被覆フィルム３の一面の所定の領域を剥離可能に被覆する上部剥離フィルム１、上部剥離フィルム１が被覆していない指被覆フィルム３の一面の所定の領域を剥離可能に被覆する下部剥離フィルム２、指Ｆの形状に沿って伸縮して密着した状態で指Ｆに装着する指被覆フィルム３、及び指被覆フィルム３の形状を維持するために指被覆フィルム３の他面を剥離可能に被覆する形状保持フィルム４から構成される。以下、化粧品塗布具１０を構成する各構成部材について説明する。
【００１７】
図２において、化粧品塗布具１０を構成する上部剥離フィルム１は、剥離部材であり、指被覆フィルム３の粘着部３Ｂに塗布された粘着剤により、指被覆フィルム３の一面の約半分の領域を剥離可能に被覆する。この様な上部剥離フィルム１は、例えばグラシン紙から成り、例えば長方形状から形成される。ここで、図２に示す上部剥離フィルム１の掴み部１Ａを指で掴んで指被覆フィルム３から剥離すると、図３に示す状態になる。なお、上部剥離フィルム１に掴み部１Ａを設けずに、上部剥離フィルム１の任意の箇所を指で掴んで剥離しても良い。
【００１８】
また図３において、化粧品塗布具１０を構成する下部剥離フィルム２は、指被覆フィルム３の粘着部３Ｂに塗布された粘着剤により、指被覆フィルム３の一面において上部剥離フィルム１が被覆している領域とは異なる領域を剥離可能に被覆する。この様な下部剥離フィルム２は、上部剥離フィルム１と同様の剥離部材であり、例えばグラシン紙から成り、例えば長方形状から形成される。ここで、図３に示す下部剥離フィルム２の任意の箇所を指で掴んで指被覆フィルム３から剥離すると、図４に示す状態になる。
【００１９】
さらに図４において、化粧品塗布具１０を構成する指被覆フィルム３は、シート状の被覆部材であり、指Ｆの形状に沿って伸縮して密着した状態で手Ｈの指Ｆに装着するものである。この様な指被覆フィルム３は、伸縮部３Ａの一面の両端に粘着部３Ｂを設けている。ここで、指被覆フィルム３の伸縮部３Ａは、例えば伸縮性を有するラテックスから成り、例えば長方形状から形成される。また、指被覆フィルム３の粘着部３Ｂは、例えばアクリル系強粘着剤から成り、伸縮部３Ａの一面の両端に塗布されている。
【００２０】
なお図５は、化粧品塗布具１０を構成する形状保持フィルム４を、指被覆フィルム３から剥離した状態であり、指被覆フィルム３のみ図示している。ここで、図４に示す形状保持フィルム４は、形状保持部材であり、指被覆フィルム３の他面に塗布された図示せぬ粘着剤により、指被覆フィルム３の他面を剥離可能に被覆することにより、指被覆フィルム３の形状を維持する。この様な形状保持フィルム４は、例えば所定の曲げ強度を有するポリエステルから成り、例えば長方形状から形成される。ここで、形状保持フィルム４の両側に設けられた半円形状の掴み部４Ａを指Ｆで掴んで剥離すると、図５に示す状態になる。なお、該掴み部４Ａを設けずに、形状保持フィルム４の任意の箇所を指で掴んで剥離しても良い。
【００２１】
ここで図６乃至図８を参照しながら、化粧品塗布具１０を構成する重要な構成部材である指被覆フィルム３の仕様について、より具体的に説明する。指被覆フィルム３の伸縮部３Ａは、例えば伸縮性を有するラテックスから形成しているため、指被覆フィルム３を装着する指Ｆの形状に沿って自在に伸縮させることが可能である。例えば図６（ａ）に伸縮部３Ａが伸縮していない状態の指被覆フィルム３を示し、図６（ｂ）に伸縮部３Ａの一部が縮んでいる状態の指被覆フィルム３を示す。
【００２２】
また図７に指被覆フィルム３の変形例に係る指被覆フィルム５を示す。該指被覆フィルム５は、伸縮部５Ａの一面の両端に粘着部３Ｂを設けている。ここで、指被覆フィルム５の伸縮部５Ａは、指被覆フィルム３の伸縮部３Ａと同様に、例えば伸縮性を有するラテックスから成り、例えば長方形状から形成される。また、指被覆フィルム５の伸縮部５Ａは、指被覆フィルム３の伸縮部３Ａと異なり、伸縮部５Ａの両端に設けられた粘着部３Ｂに対して略垂直になるように凹形状からなる複数の溝が形成されている。なお、伸縮部５Ａの両端に設けられた粘着部３Ｂに対して略垂直になるように凸形状からなる筋が形成されていても良い。図７に示すような構成にすることにより、指被覆フィルム５が伸縮部５Ａの両端に設けられた粘着部３Ｂに対して略垂直となる方向に対して指向性を有し、指Ｆの形状に沿って滑らかに伸縮し易くなる。
【００２３】
同様に図８に指被覆フィルム５の変形例に係る指被覆フィルム６を示す。該指被覆フィルム６は、伸縮部６Ａの一面の両端に粘着部３Ｂを設けている。ここで、指被覆フィルム６の伸縮部６Ａは、指被覆フィルム５の伸縮部５Ａと同様に、例えば伸縮性を有するラテックスから成り、例えば長方形状から形成される。また、指被覆フィルム６の伸縮部６Ａは、指被覆フィルム５の伸縮部５Ａと異なり、伸縮部６Ａの両端に設けられた粘着部３Ｂに対して略垂直になるように凹形状からなる複数の溝が部分的に形成されている。なお、伸縮部６Ａの両端に設けられた粘着部３Ｂに対して略垂直になるように凸形状からなる筋が部分的に形成されていても良い。図８に示すような構成にすることにより、指被覆フィルム５と同様に、指被覆フィルム６が伸縮部５Ａの両端に設けられた粘着部３Ｂに対して略垂直となる方向に対して指向性を有し、指Ｆの形状に沿って滑らかに伸縮し易くなる。
【００２４】
最後に、本考案に係る化粧品塗布具１０を手Ｈの指Ｆに装着する方法について、図９を参照しながら説明する。
【００２５】
図９（ａ）に示すように、化粧品塗布具１０から上部剥離フィルム１及び下部剥離フィルム２をそれぞれ剥離した状態で、指被覆フィルム３の伸縮部３Ａに指Ｆを当接させる。次に図９（ｂ）に示すように、形状保持フィルム４を指Ｆに巻き付けるように曲げることにより、指被覆フィルム３の粘着部３Ｂを指Ｆを当接させて固定する。次に、図９（ｃ）に示すように、図の左側から形状保持フィルム４の掴み部４Ａを掴んで剥がす。ここで、形状保持フィルム４を剥がした時点では、指被覆フィルム３の端部３Ｍが指先に密着していない。しかし、図９（ｄ）に示すように、指被覆フィルム３の伸縮部３Ａが指先の形状に沿って縮むことから、密着部３Ｎに示すように指被覆フィルム３が指先の形状に合わせて速やかに密着する。
【００２６】
さらに、図９（ｅ）に示すように、図の右側から形状保持フィルム４の掴み部４Ａを掴んで剥がす。ここで、形状保持フィルム４を剥がした時点では、指被覆フィルム３の端部３Ｐが指先に密着していない。しかし、図９（ｆ）に示すように、指被覆フィルム３の伸縮部３Ａが指先の形状に沿って縮むことから、密着部３Ｑに示すように指被覆フィルム３が指先の形状に合わせて速やかに密着する。なお、指先以外の箇所でも、指Ｆの形状に沿うように、指被覆フィルム３の伸縮部３Ａが伸縮して密着する。上述したように化粧品塗布具１０を手Ｈの指Ｆに装着する。
【００２７】
以上、第１の実施形態に係る化粧品塗布具１０によれば、指被覆フィルム３の伸縮部３Ａが指の形状に沿って伸び縮みすることから、指被覆フィルム３が指Ｆの形状に合わせて密着する。したがって、化粧品塗布具１０を手Ｈの指Ｆに装着した状態でも、化粧品塗布具１０に違和感を感じることなく、例えば化粧品塗布具１０に付けたファンデーションを顔の頬等に薄く延ばして塗ることができる。
【００２８】
［第２の実施形態］
次に、本考案の第２の実施形態に係る化粧品塗布具２０について説明する。化粧品塗布具２０は、指被覆フィルム７に掴み部７Ｃを設けることにより、指被覆フィルム７を使い終わった時に、指Ｆから指被覆フィルム７を剥がし易くすることができる。なお、第２の実施形態においては、第１の実施形態で用いた指被覆フィルム３に換えて、指被覆フィルム７を用いることに特徴を有し、それ以外の化粧品塗布具２０に係る構成は、基本的に第１の実施形態で述べた化粧品塗布具１０の構成と同様である。このため、第２の実施形態においては、図１０乃至図１１を参照しながら、第１の実施形態と異なる構成について具体的に説明する。
【００２９】
図１０に示すように、化粧品塗布具２０は、第１の実施形態に係る上部剥離フィルム１、下部剥離フィルム２、及び形状保持フィルム４に加えて、第２の実施形態に特有の指被覆フィルム７から構成される。このため、以下、化粧品塗布具１０を構成する指被覆フィルム７について説明する。
【００３０】
指被覆フィルム７は、シート状の被覆部材であり、指Ｆの形状に沿って伸縮して密着した状態で手Ｈの指Ｆに装着するものである。この様な指被覆フィルム７は、伸縮部７Ａの一面の両端に粘着部７Ｂを設けている。ここで、指被覆フィルム７の伸縮部７Ａは、例えば伸縮性を有するラテックスから成り、例えば長方形状から形成される。また、指被覆フィルム７の粘着部７Ｂは、例えばアクリル系強粘着剤から成り、伸縮部７Ａの一面の両端に塗布されている。さらに、指被覆フィルム７の掴み部７Ｃは、指被覆フィルム７の両側に設けられた半円形状の掴み部である。この様な指被覆フィルム７の掴み部７Ｃは、図１１にも示す様に、形状保持フィルム４の掴み部４Ａと当接するように設けられている。該指被覆フィルム７にも掴み部７Ｃを設けることにより、指被覆フィルム７を使い終わった時に、指Ｆから指被覆フィルム７を剥がし易くする。
【００３１】
以上、第２の実施形態に係る化粧品塗布具２０によれば、第１の実施形態に係る化粧品塗布具１０と同様に、指被覆フィルム７の伸縮部７Ａが指の形状に沿って伸び縮みすることから、指被覆フィルム７が指Ｆの形状に合わせて密着する。したがって、化粧品塗布具２０を手Ｈの指Ｆに装着した状態でも、化粧品塗布具２０に違和感を感じることなく、例えば化粧品塗布具２０に付けたファンデーションを顔の頬等に薄く延ばして塗ることができる。さらに、第２の実施形態に係る化粧品塗布具２０によれば、指被覆フィルム７に掴み部７Ｃを設けることにより、指被覆フィルム７を使い終わった時に、指Ｆから指被覆フィルム７を剥がし易い。
【００３２】
なお、上述した第１及び第２の実施形態においては、化粧品塗布具１０及び化粧品塗布具２０を、例えばファンデーションの様な化粧品を手Ｈの指Ｆに塗布してから、ファンデーションを顔の頬等に薄く延ばして塗る際に、手Ｈの指Ｆを保護する保護シートとして説明した。しかしながら、上述した構成に限定されることはなく、化粧品塗布具１０及び化粧品塗布具２０を、例えば手先が汚れる作業を行う前に手Ｈの指Ｆに装着することにより該手Ｈの指Ｆを保護する保護シートとして構成しても良い。同様に上述した構成に限定されることはなく、化粧品塗布具１０及び化粧品塗布具２０を、例えば魚を捌く前に手Ｈの指Ｆに装着することにより該手Ｈの指Ｆに魚の臭いが付着しないように保護する保護シートとして構成しても良い。
【００３３】
また、化粧品塗布具１０及び化粧品塗布具２０を、円周状又は多面体状に巻いて形成し、１個ずつ切断して使用できるように構成しても良い。この様な構成にすることにより、例えば美容院のように大量に化粧品塗布具を使用する施設において、該化粧品塗布具の使用を容易にすることができる。
【符号の説明】
【００３４】
１  上部剥離フィルム
１Ａ  掴み部
２  下部剥離フィルム
３  指被覆フィルム
３Ａ  伸縮部
３Ｂ  粘着部
３Ｍ  端部
３Ｎ  密着部
３Ｐ  端部
３Ｑ  密着部
４  形状保持フィルム
４Ａ  掴み部
５  指被覆フィルム
５Ａ  伸縮部
６  指被覆フィルム
６Ａ  伸縮部
７  指被覆フィルム
７Ａ  伸縮部
７Ｂ  粘着部
７Ｃ  掴み部
１０  化粧品塗布具
２０  化粧品塗布具
Ｈ  手
Ｆ  指
【図１】
0003155378.tif 000003
【図２】
0003155378.tif 000004
【図３】
0003155378.tif 000005
【図４】
0003155378.tif 000006
【図５】
0003155378.tif 000007
【図６】
0003155378.tif 000008
【図７】
0003155378.tif 000009
【図８】
0003155378.tif 000010
【図９】
0003155378.tif 000011
【図１０】
0003155378.tif 000012
【図１１】
0003155378.tif 000013